(57)【要約】      （修正有）【課題】屋内で絵画の教育を行う際のテーブルとしたり、屋外に携行してハイキング用、レジャー用等のテーブルとして用いられる折り畳みテーブルを提供する。【解決手段】屋内で絵画の教育を行う際等のテーブルとして用いることができると共にテーブル本体を二つ折りに折り畳むことができ、テーブル本体を二つ折りに折り畳んだ状態においては、四個の脚体がテーブル本体内に収納され、テーブル本体は手提げ部分をもつトランク状となり、屋外に携行してハイキングやレジャー等のテーブルとして使用する際や保管する際の利便性を向上することができる。脚体２・２・・に飲料缶を収納するカップホルダ３を差込嵌脱自在に設けると共にカップホルダは二つ折りに折り畳んだ状態のテーブル本体１内に収納される。【選択図】図１
0003171972.tif 000002
【実用新案登録請求の範囲】
【請求項１】
二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記脚体に飲料缶を収納するカップホルダを差込嵌脱自在に設けると共に該カップホルダは二つ折りに折り畳んだ状態の上記テーブル本体内に収納されることを特徴とする折り畳みテーブル。
【請求項２】
上記脚体の上部に対向一対の差込部からなる二股状部を形成し、該対向一対の差込部間に橋絡杆部を形成し、該橋絡杆部、該対向一対の差込部間及び二股状部の底部からなる穴部を上記カップホルダを差込嵌脱自在とする嵌脱穴部に形成してなることを特徴とする請求項１記載の折り畳みテーブル。
【請求項３】
上記カップホルダは、二個の飲料缶を収納する収納凹部及び上記脚体の嵌脱穴部に差込嵌脱する差込板部からなることを特徴とする請求項２記載の折り畳みテーブル。
【請求項４】
上記テーブル本体の四隅部裏面に上記脚体の対向一対の差込部が差込嵌脱自在に圧挿入される挿入凹部を形成してなることを特徴とする請求項２又は請求項３記載の折り畳みテーブル。
【請求項５】
上記テーブル本体の裏面に上記脚体の対向一対の差込部を圧入保持する圧入保持部を形成してなることを特徴とする請求項２〜４のいずれか１項に記載の折り畳みテーブル。
【考案の詳細な説明】
【技術分野】
【０００１】
本考案は、例えば、屋内で絵画の教育を行う際のテーブルとしたり、屋外に携行してハイキング用、レジャー用等のテーブルとして用いられる折り畳みテーブルに関するものである。
【背景技術】
【０００２】
従来、この種の折り畳みテーブルとして、二つ折りに折り畳み可能なテーブル本体と、テーブル本体に差込嵌脱自在な四個の脚体からなり、テーブル本体を折り畳んだ状態においては、四個の脚体がテーブル本体内に収納されて手提げ部分をもつトランク状となる構造のものが知られている。
【先行技術文献】
【特許文献】
【０００３】
【特許文献１】実開昭４９−５９９０６号公報
【特許文献２】特開２００２−２２３８６２
【特許文献３】意匠登録第９１０２７１号
【考案の概要】
【考案が解決しようとする課題】
【０００４】
しかしながらこれら従来構造の場合、ハイキング等での食事や団欒時においては、ジュースやビール等の飲料缶をテーブル本体上に載置して飲用することになり、このため、誤って、飲料缶を倒伏して衣服やテーブルを汚してしまったり、テーブル本体上面の使用スペースの減少を生じさせることになり、それだけ、使用の快適性を低下させることがあるという不都合を有している。
【課題を解決するための手段】
【０００５】
本考案はこれらの不都合を解決することを目的とするもので、本考案のうちで、請求項１記載の考案は、二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記脚体に飲料缶を収納するカップホルダを差込嵌脱自在に設けると共に該カップホルダは二つ折りに折り畳んだ状態の上記テーブル本体内に収納されることを特徴とする折り畳みテーブルにある。
【０００６】
又、請求項２記載の考案は、上記脚体の上部に対向一対の差込部からなる二股状部を形成し、該対向一対の差込部間に橋絡杆部を形成し、該橋絡杆部、該対向一対の差込部間及び二股状部の底部からなる穴部を上記カップホルダを差込嵌脱自在とする嵌脱穴部に形成してなることを特徴とするものであり、又、請求項３記載の考案は、上記カップホルダは、二個の飲料缶を収納する収納凹部及び上記脚体の嵌脱穴部に差込嵌脱する差込板部からなることを特徴とするものであり、又、請求項４記載の考案は、上記テーブル本体の四隅部裏面に上記脚体の対向一対の差込部が差込嵌脱自在に圧挿入される挿入凹部を形成してなることを特徴とするものであり、又、請求項５記載の考案は、上記テーブル本体の裏面に上記脚体の対向一対の差込部を圧入保持する圧入保持部を形成してなることを特徴とするものである。
【考案の効果】
【０００７】
本考案は上述の如く、請求項１記載の考案にあっては、テーブル本体に四個の脚体を差込嵌脱して使用することができ、屋内で絵画の教育を行う際等のテーブルとして用いることができると共にテーブル本体を二つ折りに折り畳むことができ、テーブル本体を二つ折りに折り畳んだ状態においては、四個の脚体がテーブル本体内に収納され、テーブル本体は手提げ部分をもつトランク状となり、屋外に携行してハイキングやレジャー等のテーブルとして使用する際や保管する際の利便性を向上することができ、かつ、上記脚体に飲料缶を収納するカップホルダを差込嵌脱自在に設けると共にカップホルダは二つ折りに折り畳んだ状態の上記テーブル本体内に収納され、ハイキングやレジャー等での食事や団欒時において、ジュースやビール等の飲料缶をカップホルダに収納することができて飲料缶を誤って倒伏させてしまうことを防ぐことができ、衣服やテーブル本体を汚したりすることを防ぐことができ、それだけ、使用の快適性を向上することができる。
【０００８】
又、請求項２記載の考案にあっては、上記脚体の上部に対向一対の差込部からなる二股状部を形成し、対向一対の差込部間に橋絡杆部を形成し、橋絡杆部、対向一対の差込部間及び二股状部の底部からなる穴部を上記カップホルダを差込嵌脱自在とする嵌脱穴部に形成してなるから、カップホルダの脚体に対する差込嵌脱を容易に行うことができ、又、請求項３記載の考案にあっては、上記カップホルダは、二個の飲料缶を収納する収納凹部及び上記脚体の嵌脱穴部に差込嵌脱する差込板部からなるので、カップホルダの脚体に対する差込嵌脱構造を簡素化することができ、又、請求項４記載の考案にあっては、上記テーブル本体の四隅部裏面に上記脚体の対向一対の差込部が差込嵌脱自在に圧挿入される挿入凹部を形成してなるから、テーブル本体と脚体との差込嵌脱を確実に行うことができ、テーブル本体を安定的に起立保持することができ、又、請求項５記載の考案にあっては、上記テーブル本体の裏面に上記脚体の対向一対の差込部を圧入保持する圧入保持部を形成してなるから、テーブル本体と脚体との差込嵌脱を確実に行うことができ、脚体をテーブル本体に確実に収納することができる。
【図面の簡単な説明】
【０００９】
【図１】本考案の実施の形態例の全体斜視図である。
【図２】本考案の実施の形態例の折畳状態の全体斜視図である。
【図３】本考案の実施の形態例の展開状態の全体裏面図である。
【図４】本考案の実施の形態例の部分分解斜視図である。
【図５】本考案の実施の形態例の部分分解斜視図である。
【図６】本考案の実施の形態例の部分分解斜視図である。
【図７】本考案の実施の形態例の部分断面図である。
【図８】本考案の実施の形態例の部分分解斜視図である。
【図９】本考案の実施の形態例の部分斜視図である。
【図１０】本考案の実施の形態例の部分断面図である。
【考案を実施するための形態】
【００１０】
図１乃至図１０は本考案の実施の形態例を示し、１はテーブル本体であって、図１及び図３の展開状態から図２の二つ折りに折り畳み可能に構成されている。この場合、上記テーブル本体１は、一対のテーブル半体１ａ・１ａをヒンジ部１ｂ・・及び止着部１ｃ・１ｃにより折畳開閉自在に設けられている。
【００１１】
２は脚体であって、この場合、四個の脚体２・２・・からなり、上記テーブル本体１に差込嵌脱自在に形成されている。
【００１２】
そして、図２の如く、上記テーブル本体１を二つ折りに折り畳んだ状態においては、四個の脚体２・２・・がテーブル本体１内に収納されてテーブル本体１は手提げ部分１ｄ・１ｄをもつトランク状となるように構成されている。
【００１３】
３はカップホルダであって、図５、図６の如く、ジュースやビール等の飲料缶Ｗを収納自在に形成され、脚体２に差込嵌脱自在に設けられると共にこのカップホルダ３は二つ折りに折り畳んだ状態の上記テーブル本体１内に収納される。
【００１４】
この場合、図５の如く、上記脚体２の上部に対向一対の差込部２ａ・２ａからなる二股状部２ｂを形成し、対向一対の差込部２ａ・２ａ間に橋絡杆部２ｃを形成し、橋絡杆部２ｃ、対向一対の差込部２ａ・２ａ間及び二股状部２ｂの底部からなる四角穴状の穴部を上記カップホルダ３を差込嵌脱自在とする嵌脱穴部２ｄに形成している。
【００１５】
又、この場合、図５、図６、図７の如く、上記カップホルダ３は、二個の飲料缶Ｗ・Ｗを収納する収納凹部３ａ・３ａ及び上記脚体２の嵌脱穴部２ｄに差込嵌脱する差込板部３ｂからなり、又、この場合、図４の如く、上記テーブル本体１の四隅部裏面に上記脚体２の対向一対の差込部２ａ・２ａが差込嵌脱自在に圧挿入される一対の挿入凹部１ｅ・１ｅを計四組形成している。
【００１６】
又、この場合、図８、図９、図１０の如く、上記テーブル本体１の裏面に上記脚体２の対向一対の差込部２ａ・２ａの外面を圧入保持する圧入保持部１ｆ・１ｆを形成している。
【００１７】
この実施の形態例は上記構成であるから、図１の如く、テーブル本体１に四個の脚体２・２・・を差込嵌脱して使用することができ、屋内で絵画の教育を行う際等のテーブルとして用いることができると共に、図２の如く、テーブル本体１を二つ折りに折り畳むことができ、テーブル本体１を二つ折りに折り畳んだ状態においては、図９の如く、四個の脚体２・２・・がテーブル本体１内に収納され、テーブル本体１は手提げ部分１ｄ・１ｄをもつトランク状となり、屋外に携行してハイキングやレジャー用等のテーブルとして用いる際や保管する際の利便性を向上することができ、かつ、上記脚体２・２・・に飲料缶Ｗを収納するカップホルダ３を差込嵌脱自在に設けると共にカップホルダ３は二つ折りに折り畳んだ状態の上記テーブル本体１内に収納され、ハイキングやレジャー等での食事や団欒時において、ジュースやビール等の飲料缶Ｗをカップホルダ３に収納することができて飲料缶Ｗを誤って倒伏させてしまうことを防ぐことができ、衣服やテーブル本体１を汚したりすることを防ぐことができ、それだけ、使用の快適性を向上することができる。
【００１８】
この場合、図５、図６、図７の如く、上記脚体２・２・・の上部に対向一対の差込部２ａ・２ａからなる二股状部２ｂを形成し、対向一対の差込部２ａ・２ａ間に橋絡杆部２ｃを形成し、橋絡杆部２ｃ、対向一対の差込部２ａ・２ａ間及び二股状部２ｂの底部からなる穴部を上記カップホルダ３を差込嵌脱自在とする嵌脱穴部２ｄに形成してなるから、カップホルダ３の脚体２に対する差込嵌脱を容易に行うことができ、又、この場合、図５の如く、上記カップホルダ３は、二個の飲料缶Ｗ・Ｗを収納する収納凹部３ａ・３ａ及び上記脚体２の嵌脱穴部２ｄに差込嵌脱する差込板部３ｂからなるので、カップホルダ３の脚体２に対する差込嵌脱構造を簡素化することができ、又、この場合、図４の如く、上記テーブル本体１の四隅部裏面に上記脚体２の対向一対の差込部２ａ・２ａが差込嵌脱自在に圧挿入される挿入凹部１ｅ・１ｅを形成してなるから、テーブル本体１と脚体２との差込嵌脱を確実に行うことができ、テーブル本体１を安定的に起立保持することができ、又、この場合、図８、図９、図１０の如く、上記テーブル本体１の裏面に上記脚体２の対向一対の差込部２ａ・２ａを圧入保持する圧入保持部１ｆ・１ｆを形成してなるから、テーブル本体１と脚体２との差込嵌脱を確実に行うことができ、脚体２をテーブル本体１に確実に収納することができる。
【００１９】
尚、本考案は上記実施の形態例のものに限られず、例えば、テーブル本体１、脚体２、カップホルダ３の形態や数、配置位置、構造は適宜変更して設計されるものである。
【００２０】
以上の如く、所期の目的を充分達成することができる。
【符号の説明】
【００２１】
Ｗ    飲料缶
１    テーブル本体
１ｄ    手提げ部分
１ｅ    挿入凹部
１ｆ    圧入保持部
２    脚体
２ａ    差込部
２ｂ    二股状部
２ｃ    橋絡杆部
２ｄ    嵌脱穴部
３    カップホルダ
３ａ    収納凹部
３ｂ    差込板部
【図１】
0003171972.tif 000003
【図２】
0003171972.tif 000004
【図３】
0003171972.tif 000005
【図４】
0003171972.tif 000006
【図５】
0003171972.tif 000007
【図６】
0003171972.tif 000008
【図７】
0003171972.tif 000009
【図８】
0003171972.tif 000010
【図９】
0003171972.tif 000011
【図１０】
0003171972.tif 000012